(57)【要約】  四つの曲がったマットレス支持パネル（５０〜５６）を支持するフレーム（２２）が備えられており、上記パネルは上記フレーム（２２）の各部の枢動に従って移動することができるベッド組立品（１０）である。上記曲がったパネル（５０〜５６）は、特にバックレスト（３０、５０）が座り状態に上げられた場合、患者の体形によりよく合い、しかも、上記マットレス支持部材（５０〜５６）の長さの伸び効果が更に向上される。上記支持パネル（５０〜５６）は上記フレーム（２２）の枢動点の下側に設置されており、上記伸び効果をより一層向上させる。上記組立品はまた、互いの上にスライドできる相補的な端縁（９２，９４）を有する第１と第２の患者保持パネル（８０，８２）を備えている。キーパッドユニット（１００）は上記保持パネル（８０）の患者に便利なところから突き出ており、患者の手で掴まえられるようになっている。
2009501588.tif 000002
【特許請求の範囲】
【請求項１】
マットレス支持部材の横方向において曲がった実質上剛性のバックレストセクションを備えているベッド用のマットレス支持部材。
【請求項２】
前記マットレス支持部材は、バックレストセクションと、サイレストセクションと、レッグレストとからなる互いに相対的に移動可能な複数の実質上剛性な支持セクションから構成されている、請求項１に記載のマットレス支持部材。
【請求項３】
前記サイレストセクション及び前記レッグレストは、前記マットレス支持部材の前記横方向において曲がっている、請求項２に記載のマットレス支持部材。
【請求項４】
前記マットレス支持部材の前記横方向において、曲がったシートセクションを備えている、請求項２に記載のマットレス支持部材。
【請求項５】
前記マットレス支持部材における前記セクションは、着脱可能である請求項１から請求項４までのいずれか１項に記載のマットレス支持部材。
【請求項６】
前記マットレス支持部材における前記セクションは、ブロー成形によりプラスチック材料から成形されている、請求項１から請求項５までのいずれか１項に記載のマットレス支持部材。
【請求項７】
ほぼ直立した側壁を有するフレームと、
前記フレームの下側に設置され、複数の前記マットレス支持セクションを固着させるように前記フレームにカップリングされた複数のホルダ素子と、
前記ホルダ素子を枢動させるように前記フレームにおいて前記ホルダ素子の間に設けられた複数のヒンジと、を備えているベッド組立品。
【請求項８】
パネルの突出部におけるキーパッド部材を備えているベッド用の患者保持パネル。
【請求項９】
前記突出部は患者の親指とその他の指の間に掴まえられるサイズである、請求項８に記載の患者保持パネル。
【請求項１０】
前記突出部は前記患者保持パネルから着脱可能である、請求項８または請求項９に記載の患者保持パネル。
【請求項１１】
請求項１から請求項７までのいずれか１項に記載のマットレス支持部材及び／又は請求項８から請求項１０までのいずれか１項に記載の患者保持パネルを備えているベッド。
【発明の詳細な説明】
【技術分野】
【０００１】
本発明はベッド組立品、マットレス支持部材、及びベッド制御ユニット用の入力素子に関する。
【背景技術】
【０００２】
現在の病床は、一般的に様々な形に姿勢調整できるように設けられている。一般的には、患者のベッドにおける姿勢を変化できるように回転可能な複数のセクションが備えられている。例えば、一般的には、ほぼ水平状態から上げられた座り状態へ枢動可能なバックレストセクションと、ほぼ水平状態から膝を上げた状態へ枢動可能なサイレスト（ｔｈｉｇｈ  ｒｅｓｔ）セクションと、上記サイレストセクションにカップリングされて、それと一緒に上げられると同時に、両足を下げ状態又は上げ状態のままにさせることが可能なレッグレストとが備えられている。
【０００３】
このような機能を有するベッドは、この技術分野において良く知られており、一般的にはうまく働いている。しかし、このようなベッドを操作する場合、特に上記ベッドセクションの一つが隣接するベッドセクションに対して上向きに回転する時、患者に特に不快感を感じさせる圧迫力を与える懸念がある。さらに、このようなベッドは、その上で長期間寝ている患者に不快感を与え、最悪の場合、床ずれやその他の疾患を引き起こす恐れがある。
【０００４】
上述した病床には、医師・看護師及び患者の便宜のために、電気で操作するものが多い。そのために、例えばベッド上げキー、ベッド下げキー、ベッド傾けキーや、バックレストとサイレストとレッグレストのセクションの上げ用と下げ用のキー、ベッドを所定状態にさせるキーといった複数のファンクションキーからなる、ベッド制御ユニットにカップリングされたキーパッドが備えられている。現在、一般的には、医師・看護師と患者にそれぞれ利用される二つのキーパッドが備えられている。患者用のキーパッドは、移動可能なキーパッドで、置き忘れる恐れがあるので、ベッドサイドにおける患者保持パネル上に設けることによって、それによる不便さを低減することができる。しかし、このようなベッドにおけるキーパッドは、特に、患者を確実に快適にさせる患者保持パネルを取り付ける領域が無く、しかもキーを押す時にパネルが屈曲し操作しにくくなるという問題が存在している。
【発明の開示】
【発明が解決しようとする課題】
【０００５】
本発明は改善されたベッド組立品、マットレス支持部材及びベッド制御ユニットを提供することを目的とする。
【課題を解決するための手段】
【０００６】
本発明の一つの側面によれば、マットレス支持部材の横方向において曲がったバックレストセクションを備えているベッド用の実質上剛性なマットレス支持部材を提供する。
【０００７】
曲がったバックレスト支持部材は、患者の快適感を向上できることが確認されている。それは、従来の水平状態のマットレス支持部材は、患者の最大圧力領域において、即ち、患者の体における突出部において、特定の加圧点が発生するからである。マットレスは弾力性があるものの、上述した欠点を部分的にしか低減できない。曲がったバックレスト支持部材は患者の背部の曲線により良く合うので、より均一に支持することができる。さらに、このような曲がったバックレストは、より広い接触領域が形成される。よって、患者の体重による圧力がより均一に分散されるので、床ずれやその他の疾患を引き起こす高圧力領域が低減されることは明らかである。
【０００８】
好ましい実施態様において、上記マットレス支持部材は、バックレストセクションと、サイレストセクションと、レッグレストとからなる互いに相対的に移動可能な複数の実質上剛性なマットレス支持セクションから構成されている。また、シートセクションが備えられてもよいが、実施態様によっては、このシートセクションは単にバックレストセクションとサイレストセクションとの間のヒンジ領域のみでもよい。
【０００９】
曲がったバックレストセクションを有すれば、上記マットレス支持部材は、上記バックレストセクションの中央部である最下部が上向きに枢動する時にシートセクションから離れるように配置することができる。このことは、上述した患者を座り状態に上げる動作中、患者の背部は引き伸ばしにより長くなる傾向があるので、重要な利点を持っている。したがって、上記バックレストセクションにおける最下部が上記シートセクションから離れる動きは、患者の引き伸ばしによく合い、上記マットレス支持部材の長さを効果的に伸ばすことができる。上記マットレス支持部材の上における上記マットレスは一般的に弾力性があるので、このような引き伸ばしに適合することができる。
【００１０】
好ましくは、上記サイレストセクションと上記レッグレストもマットレス支持部材の横方向において曲がり、上記シートセクションが備えられる場合、同じように曲がっていることが望ましい。
【００１１】
曲がった上記シートセクション又は上記サイレストセクションが備えられることにより、上記バックレストセクションにおける最下部がシート又はサイレストセクションから離れる量が増え、これにより、上記マットレス支持部材の伸び量が大きくなる。
【００１２】
上記マットレス支持部材におけるセクションは、洗浄などのために着脱可能であることが望ましい。
【００１３】
上記マットレス支持部材の各部は、好ましい実施態様において、ブロー成形によりプラスチック材料から成形されている。こうすれば、軽質で剛性であり、且つ上述したように、例えば洗浄するためにベッドから取り外す時に、医師・看護師が容易に操作できるセクションになる。
【００１４】
好ましくは、上記組立品は、ほぼ直立した側壁を有するフレームと、上記フレームの下側に設置され、上記マットレス支持セクションを固着させるように上記フレームにカップリングされた複数のホルダ素子と、上記ホルダ素子を枢動させるように上記フレームにおいて上記ホルダー素子の間に設けられた複数のヒンジと、を備えているのが良い。
【００１５】
本発明の他の側面によれば、ほぼ直立した側壁を有するフレームと、上記フレームの下側に設置され、複数の上記マットレス支持セクションを固着させるように上記フレームにカップリングされた複数のホルダ素子と、上記ホルダ素子を枢動させるように上記フレームにおいて上記ホルダ素子の間に設けられた複数のヒンジとを備えているベッド組立品を提供する。
【００１６】
上記ヒンジは、上記マットレス支持セクションの一つが上向きに枢動する時に、それが隣接するマットレス支持セクションから離れる量を増加させるが、上述した動作中、上記マットレス支持領域が伸びて患者の背部の引き伸ばしにより良く合う効果がある。
【００１７】
本発明の他の側面によれば、パネルの突出部におけるキーパッド部材を備えているベッド用の患者保持パネルを提供する。
【００１８】
上記突出部は、患者の親指とその他の指との間で掴まえられるサイズであることが好ましい。
【００１９】
上記突出部は、上記患者保持パネルに着脱可能であることが好ましい。
【００２０】
以下、下記のように図面を参考にしながら、本発明にかかる実施態様を説明する。
【発明を実施するための最良の形態】
【００２１】
図１には、従来型の四つのキャスター１４を有するキャスター付きベース１２と、従来型のヘッドボード１６と、従来型のフットボード１８とを備えたベッド組立品１０の好ましい実施態様を示している。ベッドプラットホーム２０は上記ベース１２にカップリングされており、一つ以上の電気アクチュエーター（図示せず）により上記ベース１２の上方で上げたり下げたりし、または傾けることができるが、上記と同じく従来型である。
【００２２】
上記プラットホーム２０はフレーム２２を備えており、この実施態様において、上記フレーム２２は、ヒンジ３２、３４及び３６により互いにカップリングされている四つのフレームセクション２４、２６、２８及び３０から構成されている。
【００２３】
上記フレームセクション２４〜３０のそれぞれは、後で更に詳述するように、ほぼ直立した内側壁３８、３８´、３８´´、３８´´´と、懸架されている複数の横方向支梁４０とを有する上部フレーム部材を備えており、これにより、複数のマットレス支持パネルを支持するための凹形の支持面が形成される。
【００２４】
上記上部フレーム部材２４〜３０には上記ヒンジ３２、３４及び３６が設置されており、上記フレーム部材同士は上記ヒンジ３２〜３６を回って互いに相対的に枢動することができる。
【００２５】
上記フレーム２２は金属又は合金により形成されている。
【００２６】
この実施態様では、図２に示すように、上記フレーム２２の横方向支梁４０の上において、四つのマットレス支持パネル５０、５２、５４及び５６が設置されている。上記パネル５０〜５６は、一般的なこの性質を備えたようなベッドに見られるように、上記枢動のフレーム部材２４〜３０と合わせて、バックレストセクション、シートセクション、サイレストセクション及びレッグレストを構成している。上記セクションは、上記ベッドを図に示す水平状態から新たに座り状態になるようにさせるが、その中で、上記バックレストセクション３０、５０は上記ヒンジ３２を回って上向きに枢動され、また、必要に応じて上記サイレストセクション２６、５４も上記ヒンジ３６（一般的に膝窩にある）を向上させるように上記ヒンジ３４を回って上向きに枢動される。上記レッグレスト２４、５６は、フットレスト１８に向かって下向きに傾けたまま、又はほぼ水平状態になるように上げた（ヒンジ３６を回って上向きに枢動される）ままにされ、患者の両足を上げてその膝とほぼ同じ高さになるようにすることができる。上記シートセクション２８、５２は、一般的に最も低い位置のままにされている。
【００２７】
必要に応じて、ベッドの各セクションを枢動させるために、一つ以上のアクチエーターが設けられているが、これはこの技術分野においてよく知られていることであり、また、その制御システムも同じく周知されていることであるので、ここでは更に詳述しない。
【００２８】
図２に示すように、上記マットレス支持パネル５０〜５６は曲がっており、こうすれば、上記ベッドプラットホーム２０は上から見ると、上面が凹形になっている。上記パネル５０〜５６は、上記フレーム側壁３８〜３８´´´の下側に設置されており、好ましくは、マットレスがフレーム２２のほぼ直立した側壁３８〜３８´´´により保持されるように、上記パネル５０〜５６の上に置かれたマットレスが上記フレーム２２内に嵌め合うために十分な間隔で上記フレーム側壁と離れているのが良い。上記間隔はこのようなベッドに用いられる従来のマットレスの高さに近くてもよいが、図６に示すように、マットレスの上面が上記フレーム２２より上に伸び、患者を快適に上記フレーム２２の硬い面より高く載せるために、上記高さより小さいことが好ましい。
【００２９】
図に示すように、上記ヒンジ３２〜３６は上部フレーム部材２４〜３０の中に埋め込まれており、これにより、ほぼ滑らかな外面が形成され、一切の不快感や損傷が避けられる。
【００３０】
上記マットレス支持パネル５０〜５６の少なくとも一部は着脱可能であることが好ましく、また、ブロー成形により何れかの適切なプラスチック材料から形成されることが望ましい。上記パネル５０〜５６には剛性がある。
【００３１】
上記パネル５０〜５６における切欠き部６０は、上記パネル５０〜５６を容易に上記ベッド１０から取外し、且つ上記パネル５０〜５６を制御するためのハンドルとして利用される。好ましくは、更に上記パネル５０〜５６の下面において止め金が設けられ、上記パネルを横方向支梁４０に留めて所定の位置に固着させるのが良い。好ましい実施態様においては、上記止め金はそれぞれ、上記パネル５０〜５６の下面を越えて伸びている二つのボスより構成されており、上記ボスは上記支梁４０の一つに留められた止め金把持部材を構成する曲がった接面を有している。
【００３２】
図３は、図２におけるベッドのマットレス支持パネル５０、５２の配置を模式的に示す平面図である。上記ベッド１０のバックレストセクションを構成する上記支持パネル５０は、第１の端壁６２と、対向する端壁６４とを備えている。上記ベッド１０のシート部を構成する上記マットレス支持パネル５２は第１の端壁６６と、第２の端壁６８とを備えている。上記壁６２と６６は図に示すように、互いに隣接している。
【００３３】
上記ベッドは、図３の実線で描かれた水平状態に配置された場合、上記二つのパネル５０、５２の間の間隔は距離ｄで示されるが、上記パネル５０〜５６に敷設されたマットレス上における患者への支持に何らかの悪い影響を与えない適当な距離であればいくらでもよい。上記距離ｄは一般的に数センチであるが、１０ｃｍ程度の場合が多い。
【００３４】
一方、上記支持パネル５０が枢動されて患者の座り状態に上げられた場合、上記パネル５０、５２の端壁６２、６６の間の距離は、それぞれ図３に示す距離Ｄに増加される。図に示すように、上記距離Ｄは、二つのパネルが水平状態である場合の距離ｄより、かなり大きくなっている。
【００３５】
上記二つの端壁６２、６６の間の距離増加は二つの要素によるものである。一つは、上記パネル５０、５２の曲がり及び枢動点がパネルサイドにあることである。上記パネル５０、５２の中心点がほぼサイドの下側にあることにより、枢動の動作中、上記距離が増加されることになる。もう一つは、上記枢動軸３２を上記パネル５０、５２の最高点よりも高い所に上げる（即ち、上げられたサイドよりも高く上げる）場合、端部７０の部分を含んで上記パネル５２から離れる移動をさらに増大することである。
【００３６】
このような間隔増加は、人が寝状態から座り状態に移動する時、曲がった所（即ち、患者の背部と下腿との間）を引き伸ばすので、有利である。したがって、上述した配置は人体の引き伸ばしに適合しているので、患者をより快適に感じさせる。上記マットレス支持セクションのほぼ水平面における枢動点を有し、且つほぼ平坦なマットレス支持セクションを有する従来技術によるベッドは、上記セクションの間の間隔増加による利益を得られず、これにより、上記マットレス支持ベースの有効長さの増加による利益を得られない。
【００３７】
以上の二つの要素は、独立して具備してもよいが、伸び効果を低下させることになることは容易に理解できるであろう。
【００３８】
図４は、患者をベッドに保持する患者保持パネル８０、８２をより見やすいように、上記ベッド１０を他面から示している。この例においては、上記ベッドの保持パネルがない方の側を壁に当接させようとするので、上記パネルが省略される。勿論、壁から離れて配置されるベッドの場合、ベッドの両側に患者保持パネル８０、８２が設けられる。
【００３９】
上記パネル８０、８２は一般的に、プラスチック材料、又はプラスチッククラッド層により被覆された金属より形成される。
【００４０】
上記患者保持パネル８０は、上記ベッド１０のバックレストセクションを構成する上記フレーム部材３０にカップリングされており、それと共に移動できるものである。上記患者保持パネル８２は、上記フレーム２２における上記シートセクション２８にカップリングされており、実質的に移動できないものであるが、その原因として、上記シートセクション２８はこの実施態様において上記フレーム２２の固定部材（但し、上記フレーム２２を上げ・下げ又は傾ける時に、上記フレーム２２と共に移動することは勿論である）であるからである。
【００４１】
上記患者保持パネル８０、８２は適当なブラケット８４、８６に取り付けられており、上記ブラケット８４、８６は図に示すようにより高い箇所にラッチすることができ、また、上記患者保持パネル８０、８２が下向きに旋回して、上記パネルの上面がフレーム２２とほぼ位置合わせした下側にあるように、アンラッチすることができる。
【００４２】
上記旋回動作は一般的に、上記患者保持パネル８０、８２を同じ向きのままにする。そのため、上記ブラケット８４、８６は二つの枢軸８８、９０（図２に最も良く示す）を備えており、この枢軸８８、９０により、上記パネル８０、８２は先ず外側へ旋回し、それから円弧に沿ってその最下部に達する。上記ブラケット８４、８６に関わる性質は、この技術分野において周知なことなので、ここでは更に詳述しない。
【００４３】
図５を見れば良く分かるように、上記バックレストセクション３０、５０が患者の座り状態へ上向きに枢動されると、上記患者保持パネル８０は上記保持パネル８２の上側に移動される。そのため、上記パネル８０は、上記保持パネル８２の凸面９４と接する凹形の接面９２を備えている。上記パネル８０が上記パネル８２を回って上向きに移動するにつれて、上記面９２は、上記二つの面９２、９４の間にほぼ同じ隙間ｇのまま、上記面９４の上をスライドする。これに従って、上記二つのパネル８０、８２の組み合わせでは、上記保持パネル８０の移動中において、上記二つのパネルの間で患者又は医師・看護師の体の一部をとらえる何らかの隙間縮小が発生することなく、ほぼ連続した支持面が形成される。
【００４４】
図５及び図６により、患者が上記ベッド１０の種々の機能を操作するための上記キーパッド（図示せず）を支持するユニット１００の好ましい実施態様の実例が模式的に明らかに示されている。
【００４５】
上記キーパッドユニット１００は、この実施態様において、上記患者支持パネル８０のほぼ外周辺を越えて上記ベッド１０の足端に向かって伸びている突出部材１０２を具備している。上記ユニット１００は、上記患者保持パネル８０に取り付けられており、これにより、上記バックレストセクション３０、５０が移動する場合、上記ユニット１００は、上記バックレストセクション３０、５０に対する位置は不変のままにし、また、これによりベッド１０に寝ている患者に対する位置も不変のままにして、上記パネルと共に移動する。図６に明らかに示すように、上記ユニット１００は、ベッドにいる患者のそれと同じ側にある手で利用しやすいように配置されている。上記ユニット１００の位置は、およそベッド１０に寝ている又は座っている患者の肩のところにあると言える。
【００４６】
また、図６より分かるように、上記ユニット１０は、患者が指を上記ユニット１００の外側に置き、そして上記ユニット１００の内側又は患者側のキーパッド（図示せず）を操作することができるような形状や構造を持っている。こうすれば、患者は上記ユニット１００の後側から、キーパッドのボタンを押す時の圧力とは逆方向の圧力をかけることができ、上記ユニット１００が実質的に安定化される。この特徴は、多少可撓性があるため操作しにくい傾向がある、上記患者支持パネルに設けられた従来のキーパッドとは異なっている。
【００４７】
上記ユニット１００におけるキーパッドは、従来からこのようなベッドに使用されているものと同様なタイプであるので、ここでは更に詳述しない。
【００４８】
特に図２と図５を参照すると、上記ユニット１００は、第１と第２のフランジ１０４、１０６を介して上記患者支持パネル８０に取り付けられることが好ましく、上記フランジ１０４、１０６は、上記パネル８０に、適当な止め金により接続され、及び／又は、一つ以上のねじにより固着できる。上記ユニット１００には、プラグ或いはソケットが設置されており、上記プラグ或いはソケットは、上記ユニット１００のキーパッドと上記ベッド１０の制御システムとの間に必要な電気接続が形成されるように、相補的なソケット／プラグに嵌め合わされている。
【００４９】
上記キーパッドユニット１００の好ましい構成によれば、上記ユニット１００は、上記ベッド１０に容易に組み立てられ、また、キーパッドの使用中又は搬送中においてある原因で損傷した場合、容易に置き換えることができる。
【図面の簡単な説明】
【００５０】
【図１】マットレス支持部材を備えていないベッド組立品の好ましい実施態様を上から示す左側斜視図である。
【図２】上に上記マットレス支持部材の好ましい実施態様を備えている図１におけるベッド組立品を示す図である。
【図３】図１のベッドにおける二つのマットレス支持セクションを模式的に示す平面図である。
【図４】図１と図２におけるベッド組立品を上から示す右側斜視図である。
【図５】図３におけるベッド組立品の一部を示す拡大図である。
【図６】患者に利用されている図１におけるベッドのキーパッドゾーンを示す図である。
【符号の説明】
【００５１】
１０  ベッド
１２  キャスター付きベース
１４  キャスター
１６  ヘッドボード
１８  フットボード
２０  ベッドプラットホーム
２２  フレーム
２４、２６、２８、３０  フレームセクション
３２、３４、３６  ヒンジ
３８、３８´、３８´´、３８´´´  内側壁、フレーム側壁
４０  横方向支梁
５０、５２、５４、５６  マットレス支持パネル
６０  切欠き部
６２  第１の端壁
６４  対向する端壁
６６  第１の端壁
６８  第２の端壁
７０  端部
８０、８２  パネル
８４、８６  ブラケット
８８、９０  枢軸
９２  接面
９４  凸面
１００  ユニット
１０２  突出部材
１０４  第１のフランジ
１０６  第２のフランジ
【図１】
2009501588.tif 000003
【図２】
2009501588.tif 000004
【図３】
2009501588.tif 000005
【図４】
2009501588.tif 000006
【図５】
2009501588.tif 000007
【図６】
2009501588.tif 000008
【誤訳訂正書】
【提出日】平成20年3月13日(2008.3.13)
【誤訳訂正１】
【訂正対象書類名】特許請求の範囲
【訂正対象項目名】全文
【訂正方法】変更
【訂正の内容】
【特許請求の範囲】
【請求項１】
マットレス支持部材の横方向において曲がった実質上剛性のバックレストセクションを備えているベッド用のマットレス支持部材。
【請求項２】
前記マットレス支持部材は、バックレストセクションと、サイレストセクションと、レッグレストとからなる互いに相対的に移動可能な複数の実質上剛性な支持セクションから構成されている、請求項１に記載のマットレス支持部材。
【請求項３】
前記サイレストセクション及び前記レッグレストは、前記マットレス支持部材の前記横方向において曲がっている、請求項２に記載のマットレス支持部材。
【請求項４】
前記マットレス支持部材の前記横方向において、曲がったシートセクションを備えている、請求項２に記載のマットレス支持部材。
【請求項５】
前記マットレス支持部材における前記セクションは、着脱可能である、請求項１から請求項４までのいずれか１項に記載のマットレス支持部材。
【請求項６】
前記マットレス支持部材における前記セクションは、ブロー成形によりプラスチック材料から成形されている、請求項１から請求項５までのいずれか１項に記載のマットレス支持部材。
【請求項７】
前記組立品は、
ほぼ直立した側壁を有するフレームと、
前記フレームの下側に設置され、前記マットレス支持セクションを固着させるように前記フレームにカップリングされた複数のホルダ素子と、
前記ホルダ素子を枢動させるように前記フレームにおいて前記ホルダ素子の間に設けられた複数のヒンジと、を備えている、請求項１から請求項６までのいずれか１項に記載のマットレス支持部材。
【請求項８】
ほぼ直立した側壁を有するフレームと、
前記フレームの下側に設置され、複数の前記マットレス支持セクションを固着させるように前記フレームにカップリングされた複数のホルダ素子と、
前記ホルダ素子を枢動させるように前記フレームにおいて前記ホルダ素子の間に設けられた複数のヒンジと、を備えているベッド組立品。
【請求項９】
パネルの突出部におけるキーパッド部材を備えているベッド用の患者保持パネル。
【請求項１０】
前記突出部は患者の親指とその他の指の間に掴まえられるサイズである、請求項８に記載の患者保持パネル。
【請求項１１】
前記突出部は前記患者保持パネルから着脱可能である、請求項８または請求項９に記載の患者保持パネル。
【請求項１２】
請求項１から請求項９までのいずれか１項に記載のマットレス支持部材及び／又は請求項８から請求項１０までのいずれか１項に記載の患者保持パネルを備えているベッド。
【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
マットレス支持部材の横方向において曲がった実質上剛性のバックレストセクションを備えているベッド用のマットレス支持部材。
【請求項２】
前記マットレス支持部材は、バックレストセクションと、サイレストセクションと、レッグレストとからなる互いに相対的に移動可能な複数の実質上剛性な支持セクションから構成されている、請求項１に記載のマットレス支持部材。
【請求項３】
前記サイレストセクション及び前記レッグレストは、前記マットレス支持部材の前記横方向において曲がっている、請求項２に記載のマットレス支持部材。
【請求項４】
前記マットレス支持部材の前記横方向において、曲がったシートセクションを備えている、請求項２に記載のマットレス支持部材。
【請求項５】
前記マットレス支持部材における前記セクションは、着脱可能である、請求項１から請求項４までのいずれか１項に記載のマットレス支持部材。
【請求項６】
前記マットレス支持部材における前記セクションは、ブロー成形によりプラスチック材料から成形されている、請求項１から請求項５までのいずれか１項に記載のマットレス支持部材。
【請求項７】
ほぼ直立した側壁を有するフレームと、
前記フレームの下側に設置され、複数の前記マットレス支持セクションを固着させるように前記フレームにカップリングされた複数のホルダ素子と、
前記ホルダ素子を枢動させるように前記フレームにおいて前記ホルダ素子の間に設けられた複数のヒンジと、を備えているベッド組立品。
【請求項８】
パネルの突出部におけるキーパッド部材を備えているベッド用の患者保持パネル。
【請求項９】
前記突出部は患者の親指とその他の指の間に掴まえられるサイズである、請求項８に記載の患者保持パネル。
【請求項１０】
前記突出部は前記患者保持パネルから着脱可能である、請求項８または請求項９に記載の患者保持パネル。
【請求項１１】
請求項１から請求項７までのいずれか１項に記載のマットレス支持部材及び／又は請求項８から請求項１０までのいずれか１項に記載の患者保持パネルを備えているベッド。
【国際調査報告】
2009501588.tif 000009
2009501588.tif 000010
2009501588.tif 000011
2009501588.tif 000012
2009501588.tif 000013